(57)【要約】【課題】買い物客が商品の値引き量を容易に把握することを可能にするとともに、売り手の手間も低減する値引きシステムを提供する。【解決手段】本発明に係る値引きシステムは、特定の時点から経過した時間の長さに応じて商品の値引きを行う値引きシステムであって、ラベル発行ユニットと、インジケータ発行ユニットと、第２価格算出装置とを備える。ラベル発行ユニットは、ラベルを発行する。ラベルは、第１価格に対応する第１コードを有する。第１価格は、値引き前の商品の価格である。インジケータ発行ユニットは、インジケータを発行する。インジケータは、経過した時間の長さに応じて態様が変化する。第２価格算出装置は、第１価格と、経過した時間の長さとに基づき、値引き後の商品の価格である第２価格を算出する。【選択図】図１
2013025601.tif 000002
【特許請求の範囲】
【請求項１】
特定の時点から経過した時間の長さに応じて商品の値引きを行う値引きシステムであって、
値引き前の前記商品の価格である第１価格に対応する第１コードを有するラベルを発行するラベル発行ユニットと、
前記経過した時間の長さに応じて態様が変化するインジケータを発行するインジケータ発行ユニットと、
前記第１価格と、前記経過した時間の長さとに基づき、値引き後の前記商品の価格である第２価格を算出する第２価格算出装置と、
を備える、
値引きシステム。
【請求項２】
前記ラベルは、前記特定の時点に関する第２コードをさらに含み、
前記第２価格算出装置は、
前記第１コードと前記第１価格とを関連づけた第１情報、および、前記第２コードと前記特定の時点とを関連づけた第２情報を記憶する関連付け情報記憶領域と、
前記第１コードおよび前記第２コードを読み取る読取装置と、
前記読取装置によって読み取られた前記第２コードと、現在の時刻とに基づいて、前記特定の時点から経過した時間を算出する経過時間算出部と、
前記経過時間算出部によって算出された値に基づいて、前記商品の値引き量を算出する値引き量算出部と、
前記値引き量算出部によって算出された前記商品の値引き量に基づき、前記商品の前記第２価格を算出する第２価格算出部と
を有する、
請求項１に記載の値引きシステム。
【請求項３】
前記ラベルは、前記インジケータの種類に関する第３コードをさらに含み、
前記第２価格算出装置は、
前記インジケータの種類に応じた値引き量を記憶する種類別値引き量記憶領域をさらに有する、
請求項２に記載の値引きシステム。
【請求項４】
前記第２価格算出装置は、
前記第１コードおよび前記インジケータの態様を読み取る読取装置と、
前記第１コードと第１価格とを関連づけた第１情報、前記インジケータの態様と前記経過した時間の長さとを関連付けた第３情報、および、前記経過した時間の長さと前記商品の値引き量とを関連付けた第４情報を記憶する関連付け情報記憶領域と、
前記読取装置によって読み取られた前記第１コードおよび前記インジケータの態様と、前記関連付け情報記憶領域に記憶された前記第１情報、前記第３情報、および前記第４情報に基づき、前記商品の前記第２価格を算出する第２価格算出部と
を有する、
請求項１に記載の値引きシステム。
【請求項５】
前記第２価格算出装置は、
前記インジケータの種類に応じた前記インジケータの態様を記憶する、
請求項４に記載の値引きシステム。
【発明の詳細な説明】
【技術分野】
【０００１】
本発明は、値引きシステムに関する。
【背景技術】
【０００２】
従来、スーパーマーケットおよびコンビニエンスストア等の生鮮食料品売り場では、生鮮食品や惣菜等の商品について、商品の売れ残りを避けるために、商品の販売を開始した時点から所定の時間が経過した場合には、商品の値引きが行われている。値引きの例として、次のような方法が挙げられる。例えば、閉店時間が近づくと、商品に値引きシールが貼られる。買い物客が、値引きシールの貼られた商品を精算のために電子キャッシュレジスタ（レジスタ）に持参する。店員は、当該値引きシールに記載された値引き量に基づいて、手操作で商品の値引きを行う。また、例えば、特開２００３−７７０６８号のように、値引きシールを貼るための店員の手間や、精算時の店員による値引き操作を省略するために、時刻情報を含むバーコードを商品に付し、当該バーコードを読み取ることで、自動的に商品の値引きを行う技術も提案されている。
【発明の概要】
【発明が解決しようとする課題】
【０００３】
ところで、上記文献に係る技術は、店員の手間を省略することはできるものの、買い物客にとっては不都合な場合もある。具体的には、買い物客は商品に貼られた値引きシールを見て、値引き量を判断する場合が多いため、買い物客が商品の値引き量を売り場で把握できる方が好ましい。
【０００４】
そこで、本発明の課題は、買い物客が商品の値引き量を容易に把握することができるとともに、売り手の手間も低減する値引きシステムを提供することにある。
【課題を解決するための手段】
【０００５】
本発明に係る値引きシステムは、特定の時点から経過した時間の長さに応じて商品の値引きを行う値引きシステムであって、ラベル発行ユニットと、インジケータ発行ユニットと、第２価格算出装置とを備える。ラベル発行ユニットは、ラベルを発行する。ラベルは、第１価格に対応する第１コードを有する。第１価格は、値引き前の商品の価格である。インジケータ発行ユニットは、インジケータを発行する。インジケータは、経過した時間の長さに応じて態様が変化する。第２価格算出装置は、第１価格と、経過した時間の長さとに基づき、値引き後の商品の価格である第２価格を算出する。
【０００６】
これにより、買い物客が商品の値引き量を容易に把握することを可能にするとともに、売り手の手間も低減することができる。
【０００７】
また、ラベルは、特定の時点に関する第２コードをさらに含み、第２価格算出装置は、関連付け情報記憶領域と、読取装置と、経過時間算出部と、値引き量算出部と、第２価格算出部とを有することが好ましい。関連付け情報記憶領域は、第１情報および第２情報を記憶する。第１情報は、第１コードと第１価格とを関連づけた情報である。第２情報は、第２コードと特定の時点とを関連づけた情報である。読取装置は、第１コードおよび第２コードを読み取る。経過時間算出部は、読取装置によって読み取られた第２コードと、現在の時刻とに基づいて、特定の時点から経過した時間を算出する。値引き量算出部は、経過時間算出部によって算出された値に基づいて、商品の値引き量を算出する。第２価格算出部は、値引き量算出部によって算出された商品の値引き量に基づき、商品の第２価格を算出する。
【０００８】
さらに、ラベルは、インジケータの種類に関する第３コードを含み、第２価格算出装置は、種類別値引き量記憶領域を有することが好ましい。種類別値引き量記憶領域は、インジケータの種類に応じた値引き量を記憶する。
【０００９】
また、第２価格算出装置は、読取装置と、関連付け情報記憶領域と、第２価格算出部とを有することが好ましい。読取装置は、第１コードおよびインジケータの態様を読み取る。関連付け情報記憶領域は、第１情報、第３情報、および第４情報を記憶する。第１情報は、第１コードと第１価格とを関連づけた情報である。第３情報は、インジケータの態様と経過した時間の長さとを関連付けた情報である。第４情報は、経過した時間の長さと商品の値引き量とを関連付けた情報である。第２価格算出部は、読取装置によって読み取られた第１コードおよびインジケータの態様と、関連付け情報記憶領域に記憶された第１情報、第３情報、および第４情報とに基づき、商品の第２価格を算出する。
【００１０】
さらに、第２価格算出装置は、インジケータの種類に応じたインジケータの態様を記憶することが好ましい。
【発明の効果】
【００１１】
本発明に係る値引きシステムは、買い物客が商品の値引き量を容易に把握することを可能にするとともに、売り手の手間も低減することができる。
【図面の簡単な説明】
【００１２】
【図１】本発明の一実施形態に係る商品管理システムを示す図である。
【図２】ラベルの例を示す図である。
【図３】インジケータの例を示す図である。
【図４】ストアコントローラの概略構成図である。
【図５】商品マスタの例を示す図である。
【図６】バーコード基本情報を示す図である。
【図７】値下げ量の例を示す図である。
【図８】値下げ条件および対応するフラグの例を示す図である。
【図９】発注情報の例を示す図である。
【図１０】計量包装サーバの概略構成図である。
【図１１】計量包装マスタの例を示す図である。
【図１２】計量包装装置の概略構成図である。
【図１３】レジスタの概略構成図である。
【図１４】販売価格の算出フローを示す図である。
【図１５】変形例（Ａ）に係るストアコントローラの概略構成図である。
【図１６】変形例（Ａ）に係るレジスタの概略構成図である。
【発明を実施するための形態】
【００１３】
以下、図１から図１４を用いて、本発明の一実施形態に係る商品管理システム（値引きシステム）１００を説明する。
【００１４】
（１）全体構成
まず、図１に、本発明の一実施形態に係る商品管理システム１００を示す。商品管理システム１００は、店舗内で扱われる商品についての発注、生産、販売、在庫等に関するデータを一括管理するシステムである。
【００１５】
商品管理システム１００には、図１に示すように、ストアコントローラ１２と、計量包装システム１３と、ＰＯＳシステム１６とが含まれる。ストアコントローラ１２は、商品管理システム１００内の情報を集中管理する装置である。
【００１６】
計量包装システム１３は、食品売り場で販売される商品（例えば、肉、魚、青果、弁当、惣菜等）の計量・包装を行うシステムである。計量包装システム１３は、ストアコントローラ１２から送られる各種情報に基づいて、商品に貼付されるラベルＬＢ（図２参照）およびインジケータ９０（図３参照）を発行する。商品は、ラベルＬＢおよびインジケータ９０が貼られた後、食品売り場に陳列される。
【００１７】
ＰＯＳシステム１６は、主として、複数のレジスタ１７，１７からなる。ＰＯＳシステム１６は、レジスタ１７を用いて商品の販売情報を集計・収集するシステムである。本実施形態では、ＰＯＳシステム１６は、ストアコントローラ１２と協働する。具体的には、ＰＯＳシステム１６内の全てのレジスタ１７，１７で精算された商品に関する情報（商品の精算情報）が、ストアコントローラ１２に集められることにより、店舗全体の販売情報が集中して管理される。
【００１８】
商品管理システム１００では、店舗内に配備されたＬＡＮ１１を用いて、ストアコントローラ１２と、計量包装システム１３と、ＰＯＳシステム１６とが接続されている。これにより、ストアコントローラ１２、計量包装システム１３、およびＰＯＳシステム１６の相互間で通信が可能になる。
【００１９】
以下、本実施形態に係る商品管理システム１００で用いられるラベルＬＢおよびインジケータ９０について説明し、さらに、商品管理システム１００に含まれる各構成について詳細に説明する。
【００２０】
（２）ラベル
図２に、本実施形態で用いるラベルＬＢの例を示す。ラベルＬＢには、貼付対象となる商品に関する情報（対象商品情報）が印字される。対象商品情報とは、例えば、商品名、商品の基本価格（第１価格に相当）、加工日、消費期限、およびバーコード等である。ここで、商品の基本価格とは、商品に予め設定された価格であって、値引き前の価格である。
【００２１】
ラベルＬＢに印字されるバーコードは、図２に示すように、基本コードＢＣおよび拡張コードＥＣで構成される。基本コードＢＣは、商品の基本価格を算出するために用いられるコードである。拡張コードＥＣは、商品の値引き量を算出する際に用いられるコードである。詳細については、後述する「バーコード情報記憶領域」で説明する。
【００２２】
（３）インジケータ
図３に、本実施形態で用いるインジケータ９０の例を示す。インジケータ９０は、買い物客に対して、商品の値引き量を示すために用いられる。インジケータ９０は、特定の時点から経過した時間の量または長さ（経過時間量）が一目でわかるような態様を有する。ここで、特定の時点とは、商品の生産時刻である。本実施形態では、インジケータ９０が、後述の計量包装装置１５によって発行される時刻を、商品の生産時刻とする。商品の生産時刻に、インジケータ９０の開始ボタン９１が押される（図３参照）。これにより、商品の生産時刻から経過した時間の長さ（経過時間量）がインジケータ９０で表される。
【００２３】
インジケータ９０は、表面と、裏面と、中間層とを有する。表面には、図３に示すように、開始ボタン９１と、経過量表示部９２とが設けられる。開始ボタン９１は、経過時間量の把握を開始する際に用いられるボタンである。言い換えると、開始ボタン９１は、商品の生産時刻に押される。経過量表示部９２は、経過時間量を示すための小窓９２ａと数字９２ｂとから構成されている。小窓９２ａは、基準色および変更色の二色を用いて時間の経過量を示す。経過量表示部９２は、時間の経過に応じて態様を変化させる。言い換えると、経過量表示部９２は、経過時間量が増えるにつれ、小窓９２ａ内の変更色の領域（変更色領域）を広げる。数字９２ｂは、変更色領域の大きさを数で表すものである。裏面は、粘着性を有するシール部である。
【００２４】
中間層は、表面と裏面とに挟まれた部分である。中間層には、液体包含部と液体浸透部とが含まれる。液体包含部は、液体浸透部に浸透させる液体を包含する部分である。液体包含部は、例えば、薄い膜によって形成されている。液体包含部は、開始ボタン９１の下に配置される。すなわち、開始ボタン９１が押されることにより、液体包含部が破られ、液体包含部から液体浸透部に液体が流れ出す。液体浸透部は、時間をかけて液体を浸透させる素材（浸透素材）である。液体浸透部は、液体包含部から流出した液体の流路となる。液体浸透部は、基準色を有し、液体が浸透することにより、基準色が変更色に変化する。インジケータ９０は、液体浸透部に液体が浸透した領域の大きさによって経過時間量を示す。浸透素材の種類および液体の種類により浸透速度は異なるが、本実施形態では、同一種類のインジケータ９０を用いた場合、液体が一定速度で液体浸透部を浸透していく。
【００２５】
なお、液体浸透部に浸透した液体は、表面に形成された上述の小窓９２ａから確認できる。小窓９２ａで囲われる領域は、液体が浸透する前、基準色領域ｃ１であり、液体が浸透するにつれて変更色領域ｃ２の面積が増えていく。図３では、商品の生産時刻から所定時間が経過した結果、小窓９２ａで囲われる領域の一部分の色が変化している。具体的には、小窓９２ａで囲われる領域のうち、０〜１０％が変更色領域ｃ２に変化している。図３に示されるインジケータ９０が商品に貼付されている場合、買い物客は、当該商品が１０％値引きされることを認識する。
【００２６】
（４）ストアコントローラ
ストアコントローラ１２は、スーパーマーケット等の事務所内に設置される汎用のパーソナルコンピュータである。ストアコントローラ１２は、商品管理システム１００で扱われる商品に関する各種情報を管理する。商品に関する各種情報には、例えば、商品の基本情報、在庫情報、生産実績、発注情報、販売実績等が含まれる。なお、図１には記載されていないが、ストアコントローラ１２は、敷地外にある他のホストコンピュータと接続されていてもよい。この場合、ストアコントローラ１２は、インターネット等の外部のネットワークを介して、ホストコンピュータと接続する。
【００２７】
ストアコントローラ１２は、図４に示すように、主として、通信部２１と、入力部２２と、表示部２３と、記憶部２４と、制御部２５とを有する。
【００２８】
（４−１）通信部
通信部２１は、ストアコントローラ１２をＬＡＮ１１に接続するネットワークインターフェースである。通信部２１は、ＬＡＮ１１を介して、後述する計量包装サーバ１４およびレジスタ１７との間でデータの授受を行う。
【００２９】
（４−２）入力部
入力部２２は、マウスおよびキーボードで構成されている。
【００３０】
（４−３）表示部
表示部２３は、液晶ディスプレイである。表示部２３は、後述する記憶部２４に記憶された各種データが表示される。
【００３１】
（４−４）記憶部
記憶部２４は、ＲＯＭ、ＲＡＭ、およびハードディスク等から構成されている。記憶部２４は、後述する制御部２５が用いて実行するための制御プログラムを有する。
【００３２】
また、記憶部２４には、上述の入力部２２を用いて管理者が入力した情報と、ＬＡＮ１１を介して計量包装サーバ１４およびレジスタ１７から取得した情報（例えば、生産実績または販売実績等）とが記憶されている。さらに、記憶部２４は、収集された情報の集計結果および在庫情報等を記憶する。
【００３３】
記憶部２４は、図４に示すように、主として、商品マスタ記憶領域２４ａと、バーコード情報記憶領域２４ｂと、値引き条件記憶領域２４ｃと、発注情報記憶領域２４ｄとを有する。
【００３４】
（４−４−１）商品マスタ記憶領域
商品マスタ記憶領域２４ａは、図５に示すように、商品に関する基本情報が記憶されている。具体的に、商品マスタ記憶領域２４ａには、各商品に対する呼出番号、商品名、商品コード、基本単価（基本価格）、消費期限、原産地、および原材料／添加物等に関するデータが関連付けて記憶されている。商品マスタ記憶領域２４ａに記憶されたデータは、後述する計量包装サーバ１４およびレジスタ１７に送られる。商品マスタ記憶領域２４ａに記憶されているデータが、計量包装サーバ１４およびレジスタ１７に送られることにより、計量包装装置１５およびレジスタ１７が共通の情報に基づいて動作するように構成されている。
【００３５】
（４−４−２）バーコード情報記憶領域
バーコード情報記憶領域２４ｂには、バーコード情報が記憶されている。バーコード情報は、バーコード基本情報（図６参照）と、バーコード対応情報とが記憶されている。ここで、バーコード基本情報とは、バーコードを構成するコードの数、各コードに割り当てられる用途の種類（例えば、フラグ、商品・価格、ｃｄ、生産時刻等）、各コードの並び等の情報である。バーコード対応情報とは、バーコードに対応する情報である。具体的に、バーコード対応情報には、バーコードに対応する商品名の情報、バーコードに対応する商品の基本価格の情報（第１情報に相当）、バーコードに対応するインジケータの種類の情報、およびバーコードに対応する生産時刻の情報（第２情報に相当）が含まれる。インジケータの種類は、例えば、インジケータ９０で表示可能な経過時間量、または、インジケータ９０の液体浸透部に液体が浸透する速度等により分類される。
【００３６】
バーコード情報は、後述の計量包装サーバ１４を介して計量包装装置１５に送られ、計量包装装置１５がラベルＬＢにバーコードを印字する際に参照される。また、バーコード情報は、後述のレジスタ１７に送られ、レジスタ１７が商品の販売価格を算出する際に参照される。バーコードには、上述したように、基本コードＢＣと拡張コードＥＣとが含まれる（図２参照）。
【００３７】
基本コードＢＣは、レジスタ１７によって商品の基本価格を算出するために用いられるコードである。言い換えると、基本コードＢＣは、商品の種類を特定し、さらに、商品の基本価格を特定するために割り当てられたコードである。基本コードＢＣは、例えば、図６に示すように、フラグ用コードと、商品・価格コード（第１コードに相当）と、チェックディジット（ｃｄ）用コードとを含む。本実施形態では、フラグに２桁、商品・価格コードに１０桁、ｃｄに１桁のコードが割り当てられる。
【００３８】
拡張コードＥＣは、レジスタ１７によって商品の値引き量を算出する際に用いられるコードである。商品の値引き量は、商品の種類または商品の生産時刻から経過した時間の長さ（経過時間量）に応じて決定する。拡張コードＥＣは、例えば、図６に示すように、スペシャルフラグ用コードと、生産時刻用コード（第２コードに相当）と、チェックディジット（ｃｄ）用コードとを含む。本実施形態では、スペシャルフラグに２桁、生産時刻に６桁、ｃｄに１桁のコードが割り当てられる。生産時刻を示す６桁のコードのうち、２桁は月（ＭＭ）、２桁は日（ＤＤ）、残り２桁は時（ＴＴ）を示す。スペシャルフラグ用コードは、値引き条件を特定するために用いられる。具体的に、スペシャルフラグ用コードは、インジケータ９０の種類を示すコード（第３コードに相当）を含む。
【００３９】
（４−４−３）値引き条件記憶領域
値引き条件記憶領域２４ｃには、各商品に貼付するインジケータの種類と、インジケータの種類に応じて設定される値引き量（図７参照）と、各商品に対する値引き条件（図８参照）とが記憶されている。
【００４０】
インジケータの種類に応じて設定される値引き量とは、所定の時間間隔で反映させる値引きの量（割合または価格）である。図７では、種類Ａのインジケータ９０は、所定の時間毎に５％の値引きをするものとし、種類Ｂのインジケータは、所定の時間毎に１０円の値引きをするものとし、種類Ｃのインジケータ９０は、所定の時間毎に７％の値引きをするものとする。
【００４１】
値引き条件とは、特定の経過時間に対してどの程度の値引きを行うかを規定する情報である。値引き条件は、インジケータの種類と時間との組み合わせで設定される。インジケータの種類は、上述のように値引き量を定義し、時間は、当該値引き量を何時間毎または何日毎に反映させるかを定義する。値引き条件は、例えば、図８に示すように、各商品に関連付けて記憶されている。
【００４２】
なお、値引き条件は、上述のスペシャルフラグ用コードを用いて示される。具体的に、は、図８に示すように、上述した２桁のスペシャルフラグ（Ｆ１，Ｆ２）のうち、１桁（Ｆ１）をインジケータの種類に割り当て、残りの１桁（Ｆ２）を時間に割り当てる。例えば、商品Ａ、Ｂには、種類Ａのインジケータ９０を貼付し、商品Ｓ、Ｔには、種類Ｂのインジケータ９０を貼付するものとする。また、種類Ａのインジケータ９０を用いた場合には、スペシャルフラグＦ１のコードを０、種類Ｂのインジケータ９０を用いた場合には、スペシャルフラグＦ１のコードを１に設定するものとする。さらに、スペシャルフラグＦ２のコードは、時間に対応するものとする。図８では、商品Ａに対し、１時間毎に５％値引きの値引き条件が設定されている。したがって、スペシャルフラグＦ１のコードを０、スペシャルフラグＦ２のコードを１に設定する。また、商品Ｂに対し、２時間毎に５％値引きの値引き条件が設定されている。したがって、スペシャルフラグＦ１のコードを０、スペシャルフラグＦ２のコードを２に設定する。さらに、商品Ｓに対し、１時間毎に１０円値引きの値引き条件が設定されている。したがって、スペシャルフラグＦ１のコードを１、かつ、スペシャルフラグＦ２のコードを１に設定する。また、商品Ｔに対し、２時間毎に１０円値引きの値引き条件が設定されている。したがって、スペシャルフラグＦ１のコードを１、かつ、スペシャルフラグＦ２のコードを２に設定する。
【００４３】
（４−４−４）発注情報記憶領域
発注情報記憶領域２４ｄには、発注情報が記憶されている。発注情報記憶領域２４ｄには、例えば、図９に示すように、発注された商品に関する商品コード、発注個数、および発注時刻が関連付けられた情報が記憶されている。
【００４４】
（４−５）制御部
制御部２５は、主として、ＣＰＵから構成されており、記憶部２４に記憶されているプログラムや各種情報に基づいて各構成の制御を行う。制御部２５は、例えば、レジスタ１７の起動時に、レジスタ１７からの商品の売価（基本価格）に関する問い合わせに応じて、商品マスタ記憶領域２４ａを検索し、問合せのあった商品に関する情報をレジスタ１７に送信する。また、制御部２５は、記憶部２４内のデータが更新されると、記憶部２４内の新たな情報を、計量包装サーバ１４およびレジスタ１７に送る。さらに、制御部２５は、複数のレジスタ１７から取得した販売情報に基づいて、集計データ（商品毎の販売実績および全商品についての総売り上げ等）を生成し、上記記憶部２４に記憶させる。また、制御部２５は、計量包装サーバ１４を介して計量包装装置１５，１５の生産実績を収集する。
【００４５】
（５）計量包装システム
計量包装システム１３は、図１に示すように、主として、計量包装サーバ１４と複数の計量包装装置１５とから構成されている。
【００４６】
（５−１）計量包装サーバ
計量包装サーバ１４は、スーパーマーケット等の事務所内もしくはバックヤードに設置されるコンピュータである。計量包装サーバ１４は、計量包装装置１５で用いる各種情報を管理する。
【００４７】
計量包装サーバ１４は、図１０に示すように、主として、通信部４１と、入力部４２と、表示部４３と、記憶部４４と、制御部４５とを有する。
【００４８】
（５−１−１）通信部
通信部４１は、計量包装サーバ１４をＬＡＮ１１に接続するネットワークインターフェースである。通信部４１は、ＬＡＮ１１を介して、計量包装装置１５およびストアコントローラ１２との間でデータの授受を行う。また、通信部４１は、計量包装サーバ１４と計量包装装置１５とを接続する通信インターフェースでもある。
【００４９】
（５−１−２）入力部
入力部４２は、マウスおよびキーボードで構成されている。
【００５０】
（５−１−３）表示部
表示部４３は、液晶ディスプレイである。表示部４３には、計量包装サーバ１４に記憶されている各種情報が表示される。
【００５１】
（５−１−４）記憶部
記憶部４４は、ＲＯＭ、ＲＡＭ、およびハードディスク等から構成されている。記憶部４４は、図１０に示すように、主として、計量包装マスタ記憶領域４４ａと、商品情報記憶領域４４ｂと、発注情報記憶領域４４ｃと、バーコード情報記憶領域４４ｄとが記憶されている。
【００５２】
ａ）計量包装マスタ記憶領域
計量包装マスタ記憶領域４４ａには、図１１に示すように、計量包装装置１５の呼出番号と、商品コードとが関連付けて記憶されている。計量包装装置１５の呼出番号は、各計量包装装置１５に対して付された固有の番号であり、商品コードは、当該計量包装装置１５で計量および包装される商品に対応するコードである。
【００５３】
ｂ）商品情報記憶領域
商品情報記憶領域４４ｂには、ストアコントローラ１２から取得した商品情報が記憶されている。具体的に、商品情報記憶領域４４ｂには、ストアコントローラ１２に記憶された商品マスタ記憶領域２４ａの情報のうち、計量包装装置１５，４１で利用する一部情報が記憶されている。商品情報記憶領域は、ストアコントローラ１２の商品マスタが更新されるたびに、新しい情報によって上書きされていく。
【００５４】
ｃ）発注情報記憶領域
発注情報記憶領域４４ｃには、ストアコントローラ１２から取得した発注情報が記憶されている（図９参照）。発注情報記憶領域４４ｃに記憶される情報は、ストアコントローラ１２から送られる発注情報および計量包装装置１５による生産実績に基づいて、更新されていく。
【００５５】
ｄ）バーコード情報記憶領域
バーコード情報記憶領域４４ｄもまた、ストアコントローラ１２から取得したバーコード情報が記憶されている。バーコード情報記憶領域４４ｄもまた、ストアコントローラ１２に記憶されたバーコード情報が更新されるたびに、新しい情報によって上書きされていく。
【００５６】
（５−１−５）制御部
制御部４５は、主として、ＣＰＵから構成されており、記憶部４４に記憶されているプログラムや各種情報に基づいて各構成の制御を行う。制御部４５は、所定の時間間隔でストアコントローラ１２と情報の授受を行う。
【００５７】
また、制御部４５は、例えば、計量包装装置１５の起動時に、計量包装装置１５からの問い合わせに応じて、記憶部４４に記載された情報（商品情報、発注情報、およびバーコード情報等）から問合せに係る情報を検索し、問い合わせに係る情報を計量包装装置１５に送信する。また、商品情報記憶領域４４ｂの情報が更新された場合にも、更新に係る新しい情報を計量包装装置１５に送信する。さらに、制御部４５は、計量包装装置１５で生産された商品に関する情報（生産情報）を所定の時間間隔で計量包装装置１５から収集し、所定の時間間隔で、ストアコントローラ１２に送信する。
【００５８】
（５−２）計量包装装置
計量包装装置１５は、スーパーマーケット等の店舗のバックヤードに設置される。計量包装装置１５は、食品売り場で販売される商品を計量し、包装し、値付けし、さらに、商品に貼付するラベルＬＢおよびインジケータ９０を発行するように構成された装置である。
【００５９】
計量包装装置１５は、図１２に示すように、主として、通信部５１と、表示部５２と、計量部５３と、包装部５４と、ラベル発行部５５と、インジケータ発行部５６と、記憶部５７と、制御部５８とを有する。
【００６０】
（５−２−１）通信部
通信部５１は、計量包装サーバ１４との通信を可能にするためのインターフェースである。
【００６１】
（５−２−２）表示部
表示部５２は、タッチパネル式の液晶ディスプレイである。表示部５２には、計量包装装置１５の操作に必要な各種情報が表示される。
【００６２】
（５−２−３）計量部
計量部５３は、商品の重量を計量する機能を有する。計量部５３は、計量台と、重量算出部とを有する。計量台の上に載せられた商品は、重量算出部によって重量が算出される。
【００６３】
（５−２−４）包装部
包装部５４は、フィルムロールを有する。包装部５４は、フィルムロールから繰り出されるフィルムを用いて計量された商品を包装する。
【００６４】
（５−２−５）ラベル発行部
ラベル発行部５５は、商品に貼付されるラベルＬＢを発行する（図２参照）。ラベル発行部５５は、主として、ラベルホルダと、ラベルロール送り出し機構と、印字部と、ラベル供給口とを備える。ラベルホルダは、ラベルロールを保持する。ラベルロール送り出し機構は、ラベルロールを繰り出し、ラベルＬＢを印字部の近傍に位置するように搬送する。印字部は、記憶部５７に記憶された情報に基づいて、ラベルＬＢに対象商品情報を印字する。ラベルＬＢに印字される対象商品情報は、後述の制御部５８によって決定される。ラベル供給口は、印字されたラベルＬＢを吐き出す部分である。
【００６５】
（５−２−６）インジケータ発行部
インジケータ発行部５６は、商品に貼付されるインジケータ９０を発行する。インジケータ発行部５６は、主として、インジケータホルダと、インジケータ送り出し機構と、インジケータ供給口と、接触部とを備える。インジケータホルダは、インジケータロールを保持する。インジケータロールとは、複数のインジケータ９０をシートに貼り付け、さらにロール状にしたものである。インジケータロール送り出し機構は、インジケータロールを繰り出し、インジケータ９０を接触部の近傍に搬送する。接触部は、インジケータ９０の表面に設けられた開始ボタン９１に接触させて、開始ボタン９１の下に設けられた液体包含部を破る。インジケータロール送り出し機構がインジケータロールを繰り出した時刻は、後述の記憶部に記憶される。
【００６６】
（５−２−７）記憶部
記憶部５７は、ＲＯＭ、ＲＡＭ、およびハードディスク等から構成されている。記憶部５７は、図１２に示すように、主として、商品情報記憶領域５７ａと、バーコード情報記憶領域５７ｂと、発注情報記憶領域５７ｃと、計量情報記憶領域５７ｄと、繰り出し時刻記憶領域５７ｅとを有する。
【００６７】
ａ）商品情報記憶領域
商品情報記憶領域５７ａは、計量包装サーバ１４から取得した商品情報を記憶する。商品情報は、計量包装サーバ１４から新たな商品情報が取得されるたびに、当該新たな商品情報によって上書きされる。
【００６８】
ｂ）バーコード情報記憶領域
バーコード情報記憶領域５７ｂもまた、計量包装サーバ１４から取得したバーコード情報を記憶する。バーコード情報は、計量包装サーバ１４から新たなバーコード情報が取得されるたびに、当該新たなバーコード情報によって上書きされる。
【００６９】
ｃ）発注情報記憶領域
発注情報記憶領域５７ｃもまた、計量包装サーバ１４から取得した発注情報を記憶する（図９参照）。発注情報は、計量包装サーバ１４から新たな発注情報が取得されるたびに、当該新たな発注情報によって上書きされる。
【００７０】
ｄ）計量情報記憶領域
計量情報記憶領域５７ｄは、計量部５３によって算出された結果（計量結果）と、計量結果に基づく商品の基本価格とが一時的に記憶される。計量情報記憶領域５７ｄに記憶される情報は、新たな商品の計量が行われる度に、当該新たな商品の計量結果等によって上書きされていく。
【００７１】
ｅ）繰り出し時刻記憶領域
繰り出し時刻記憶領域５７ｅは、インジケータロール送り出し機構によってインジケータロールが繰り出された時刻（繰り出し時刻）が記憶される。本実施形態では、繰り出し時刻を、商品の生産時刻とする。繰り出し時刻記憶領域５７ｅに記憶される情報もまた、新たにインジケータ９０が繰り出される度に、当該新たにインジケータ９０が繰り出された時刻によって上書きされていく。
【００７２】
（５−２−８）制御部
制御部５８は、主として、ＣＰＵから構成されている。制御部５８は、計量包装装置１５の各種動作を実現するために必要な情報を計量包装サーバ１４から取得して記憶部５７に記憶する。また、制御部５８は、記憶部５７に記憶されているプログラムや各種情報に基づいて各構成の制御を行う。すなわち、制御部５８は、表示部５２に所定の情報を表示させ、計量部５３、包装部５４、ラベル発行部５５、およびインジケータ発行部５６を駆動させる。
【００７３】
また、制御部５８は、計量部５３によって商品が計量される度に、計量部５３により得られた計量結果を取得し、当該計量結果を一時的に計量情報記憶領域５７ｄに記憶させる。また、制御部５８は、インジケータロール送り出し機構によってインジケータロールが繰り出された時刻を取得し、当該時刻を繰り出し時刻記憶領域５７ｅに一時的に記憶させる。
【００７４】
さらに、制御部５８は、記憶部５７に記憶された情報に基づいて、ラベルＬＢに印字させる対象商品情報を決定する。具体的に、制御部５８は、商品情報記憶領域５７ａに記憶された商品情報および計量情報記憶領域５７ｄに記憶された計量情報に基づいて、ラベルＬＢに印字させる商品名および価格に関する情報を決定し、さらに、バーコード情報記憶領域５７ｂに記憶されるバーコード情報および繰り出し時刻記憶領域５７ｅに記憶される繰り出し時刻に基づいて、ラベルＬＢに印字させるバーコードに関する情報を決定する。
【００７５】
（６）ＰＯＳシステム
ＰＯＳシステム１６は、電子キャッシュレジスタ（レジスタ）１７によって得られる情報をストアコントローラ１２で収集して、収集した情報に基づいて在庫管理や発注作業を行うシステムである。ＰＯＳシステム１６は、図１に示すように、主として、ＰＯＳターミナルである複数のレジスタ（第２価格算出装置に相当）１７から構成されている。
【００７６】
（６−１）レジスタ
レジスタ１７は、スーパーマーケット等の店舗の精算エリアに設置される。レジスタ１７は、買い物客が購入する商品の精算を行う際に用いられる装置である。レジスタ１７は、図１３に示すように、主として、通信部７１と、入力部７２と、表示部７３と、発行部７４と、ドロア７５と、記憶部７６と、制御部７７とを有する。
【００７７】
（６−１−１）通信部
通信部７１は、ストアコントローラ１２との通信を可能にするインターフェースである。
【００７８】
（６−１−２）入力部
入力部７２は、スキャナ（読取装置に相当）およびキーボードである。スキャナは、商品に付された商品コード（バーコード）を読み込む。キーボードは、レジ担当の店員による商品価格の手入力または受領金額の入力等を行うために用いられる。
【００７９】
（６−１−３）表示部
表示部７３は、ディスプレイである。ディスプレイには、スキャナによって読み取られたバーコードから得られる情報およびキーボードによって入力された受領料金等に基づいて商品関連情報が表示される。ここで、表示部７３に表示される商品関連情報には、商品名、基本価格（値引き前価格）、値引き量、および販売価格（値引き後価格）が含まれる。
【００８０】
（６−１−４）発行部
発行部７４は、買い物客が購入した商品に関するレシートを発行する。レシートには買い物客の購入した商品について、商品関連情報が印字される。具体的には、レシートには、商品名、基本価格（値引き前価格）、値引き量、および販売価格（値引き後価格）等が印字される。
【００８１】
（６−１−５）ドロア
ドロア７５は、紙幣や硬貨の保存場所であり、入力部の操作により開き、開いた方向と逆の方向に物理的に押されると閉まる。
【００８２】
（６−１−６）記憶部
記憶部７６は、ＲＯＭ、ＲＡＭ、およびハードディスク等から構成されている。記憶部７６は、図１３に示すように、商品情報記憶領域７６ａと、バーコード情報記憶領域（関連付け情報記憶領域に相当）７６ｂと、値引き条件記憶領域（種類別値引き量記憶領域に相当）７６ｃとを有する。
【００８３】
ａ）商品情報記憶領域
商品情報記憶領域７６ａには、商品情報が記憶されている。商品情報には、例えば、商品名および商品の基本価格が含まれる。商品情報は、ストアコントローラ１２から新たな商品情報が取得されるたびに、当該新たな商品情報によって上書きされる。
【００８４】
ｂ）バーコード情報記憶領域
バーコード情報記憶領域７６ｂには、スキャナで読み取られたバーコードを制御部７７が認識するために必要な情報が記憶されている。具体的に、バーコード情報記憶領域７６ｂには、ストアコントローラ１２から取得されるバーコード情報が記憶される。バーコード情報は、ストアコントローラ１２から新たなバーコード情報が取得されるたびに、当該新たなバーコード情報によって上書きされる。
【００８５】
ｃ）値引き条件記憶領域
値引き条件記憶領域７６ｃには、上述の値引き条件（図８参照）が記憶されている。具体的に、値引き条件記憶領域７６ｃには、ストアコントローラ１２から取得される値引き条件が記憶される。値引き条件は、ストアコントローラ１２から新たな値引き条件が取得されるたびに、当該新たな値引き条件によって上書きされる。
【００８６】
（６−１−７）制御部
制御部７７は、主として、ＣＰＵから構成されており、記憶部７６に記憶されているプログラムに基づいて各構成の制御を行う。すなわち、制御部７７は、表示部７３に所定の情報を表示させ、発行部７４およびドロア７５等を駆動させる。
【００８７】
また、制御部７７は、スキャナによって読み取られた情報およびキーボードによって入力された情報と、記憶部７６に記憶された情報とに基づき、買い物客が購入する商品の合計金額を計算する。なお、商品の合計金額とは、全ての商品の販売価格の合計である。商品の販売価格とは、値引き量を考慮した商品の価格である。
【００８８】
具体的に、制御部７７は、図１３に示すように、生産時刻特定部７７ａと、経過時間算出部７７ｂと、値引き量算出部７７ｃと、販売価格算出部（第２価格算出部に相当）７７ｄとして機能する。生産時刻特定部７７ａは、スキャナによって読み取られたバーコードと、バーコード情報に記憶されているバーコード情報とに基づいて、商品の生産時刻を特定する。また、経過時間算出部７７ｂは、生産時刻と、現在の時刻とを比較し、経過時間量を算出する。さらに、値引き量算出部７７ｃは、バーコード情報によって特定されるインジケータ９０の種類と、値引き条件記憶領域７６ｃに記憶された値引き条件とに基づいて、値引き量を算出する。さらに、販売価格算出部７７ｄは、値引き量に基づいて、商品の販売価格（第２価格に相当）を算出する。
【００８９】
さらに、制御部７７は、スキャナによって読み取られた情報およびキーボードを用いて入力された情報（販売実績情報）を記憶部７６に記憶し、所定のタイミング（例えば、１０分毎）で、通信部７１を介して、販売実績情報をストアコントローラ１２に送信する。
【００９０】
（７）販売価格の算出
次に、図１４を参照して、レジスタ１７における販売価格の算出について説明する。
【００９１】
まず、ステップＳ１において、入力部（スキャナ）によって読み取られたバーコードが認識される。その後、ステップＳ２において、基本コードＢＣに基づいて、値引き前の商品価格（Ａ）が算出される。すなわち、ステップＳ２では、バーコード情報に記憶されているバーコード情報と、バーコードに含まれる基本コードＢＣとに基づいて、商品の基本価格（Ａ）が算出される。次に、ステップＳ３では、バーコード情報に記憶されているバーコード情報と、バーコードに含まれる拡張コードＥＣとに基づいて、商品の生産時刻が特定される。その後、ステップＳ４に進み、生産時刻と、現在の時刻とを比較し、経過時間量を算出する。さらに、ステップＳ５で、バーコード情報によって特定されるインジケータ９０の種類と、値引き条件記憶領域７６ｃに記憶された値引き条件とに基づいて、値引き量（Ｂ）が算出される。最後に、ステップＳ６で、値引き量に基づいて、商品の販売価格を算出する。すなわち、商品の基本価格から値引き量を差し引き、商品の販売価格を算出する。
【００９２】
（８）特徴
（８−１）
上記実施形態に係る商品管理システム１００では、店舗で販売される商品（例えば、肉、魚、青果、弁当、惣菜等）に、商品関連情報が印字されたラベルＬＢと、インジケータ９０とが貼付される。レジスタ１７では、ラベルＬＢから得られる情報と、インジケータ９０の態様によって示される経過した時間の長さ（経過時間量）とに基づいて、値引き後の商品の価格（販売価格）が算出される。
【００９３】
従来、上述のような商品について、生産時刻から一定の時間が経過した場合、または、閉店時間が近づいた場合に、店員によって商品に値引きシールが貼られていた。買い物客が、精算のため値引きシールが貼られた商品をレジスタに持参すると、値引きシールに示された値引き情報に基づいて、店員がレジスタに手入力で値引き情報を入力し、当該商品の値引きを行っていた。
【００９４】
また、値引きシールを貼る煩雑さを解消するために、各商品に値引きシールを貼る代わりに、特定の陳列棚に値引き対象となる商品を陳列する方法も提案されてきた。この場合には、買い物客に対して、陳列棚の近傍に、値引き前および値引き後の商品の価格を示す値札を配置した。また、バーコードには生産時刻を含め、レジスタ１７でバーコードが読み取られると自動的に値引き後の商品の価格が算出していた。
【００９５】
しかし、値引きシールを各商品に貼付する場合には、精算時の値引き情報の入力漏れが発生する場合がある。また、値引き対象となる商品を特定の陳列棚に陳列する場合には、値引きの根拠がはっきりせず、買い物客の関心を十分に惹きつけることができない場合がある。
【００９６】
本実施形態に係る商品管理システム１００では、インジケータ９０によって商品が生産された時刻から経過した時間の量が一目瞭然である。また、値引きの根拠が明確である。さらに、精算時に値引き情報を手入力する必要がない。これにより、買い物客が商品の値引き量を容易に把握することを可能にするとともに、店員の手間も低減することができる。また、店員がレジスタ１７で値引き情報を手入力する必要がないため、精算誤りを解消することもできる。
【００９７】
（８−２）
上記実施形態に係る商品管理システム１００では、商品に貼付するインジケータ９０の種類に応じて値引き条件を設定し、当該値引き条件と経過時間量とに基づいて値引き後の商品の価格（販売価格）が算出される。すなわち、スペシャルフラグの組み合わせを複数設け、当該組み合わせを適宜変更することにより、商品の種類に応じた多様な値引き量を設定することができる。
【００９８】
また、複数種類のインジケータ９０を用いることができるので、店舗側の意思や要望に応じた商品管理を行うことができる。
【００９９】
（９）変形例
（９−１）変形例Ａ
上記実施形態では、バーコードに拡張コードＥＣを含め、拡張コードＥＣによって商品の生産時刻や値引き条件等が特定されるような構成にした。しかし、上記構成に代えて、レジスタ１７の入力部（スキャナ）７２が、インジケータ９０の態様を読み取り、読み取られたインジケータ９０の態様に基づいて販売価格が算出されるような構成にしてもよい。
【０１００】
具体的には、上記実施形態における、ストアコントローラ１２の値引き条件記憶領域２４ｃおよびレジスタの値引き条件記憶領域７６ｃに代えて、図１５および図１６に示すように、ストアコントローラ１２およびレジスタ１７に、それぞれ、インジケータ情報記憶領域２４ｅ，７６ｄを設ける。インジケータ情報記憶領域２４ｅ，７６ｄには、インジケータ情報を記憶する。インジケータ情報は、経過時間量に応じた値引き量を算出するために用いられる情報である。
【０１０１】
具体的に、インジケータ情報は、インジケータ９０の種類に関する情報と、各種のインジケータ９０の経過時間量に応じた態様に関する情報と、経過時間に応じた値引き量に関する情報とが含まれる。すなわち、インジケータ情報には、インジケータ９０の種類に関する情報の他、経過時間量とインジケータの態様とを関連付けた情報（第３情報に相当）と、経過時間量（あるいはインジケータの態様）と値引き量とを関連付けた情報（第４情報）とが含まれる。これにより、スキャナによってバーコードを読み取ると共に、インジケータ９０の態様が読み取られることで、値引き後の商品の価格（販売価格）を算出することができる。これにより、バーコードに拡張コードＥＣを含めることなく、上記実施形態と同様の効果を得ることができる。
【０１０２】
（９−２）変形例Ｂ
上記実施形態では、インジケータロール送り出し機構によってインジケータロールが繰り出された時刻（繰り出し時刻）を、商品の生産時刻とし、繰り出し時刻記憶領域５７ｅに記憶された繰り出し時刻に基づいて、拡張コードＥＣ（特に、生産時刻に対応するコード）が決定されたが、他のタイミングを生産時刻としてもよい。例えば、包装部５４によって商品が包装されたタイミング（包装時刻）を記憶しておき、当該包装時刻が生産時刻として拡張コードＥＣに含まれるように構成されていてもよい。また、インジケータ発行部５６の接触部を、インジケータロール送り出し機構の駆動に併せて自動で動作させて開始ボタン９１に接触させる構成とし、接触部が開始ボタン９１に接触するタイミングを生産時刻としてもよい。
【０１０３】
（９−３）変形例Ｃ
また、上記実施形態では、ラベル発行部５５とインジケータ発行部５６とが一つの計量包装装置１５に含まれる構成を例に挙げて説明したが、ラベル発行部５５とインジケータ発行部５６とは、別体であってもよい。
【０１０４】
（９−４）変形例Ｄ
上記実施形態では、２桁のスペシャルフラグ（Ｆ１，Ｆ２）のうち、１桁（Ｆ１）をインジケータの種類に割り当て、残りの１桁（Ｆ２）を時間に割り当てることにより、値引き条件を設定したが、値引き条件の設定方法は、上記実施形態の内容に限られない。
【符号の説明】
【０１０５】
１１    ＬＡＮ
１２    ストアコントローラ
１３    計量包装システム
１４    計量包装サーバ
１５    計量包装装置
１６    ＰＯＳシステム
１７    レジスタ（ＰＯＳターミナル）
９０    インジケータ
１００    商品管理システム（値引きシステム）
ＬＢ      ラベル
【先行技術文献】
【特許文献】
【０１０６】
【特許文献１】特開２００３−７７０６８号公報
【図１】
2013025601.tif 000003
【図２】
2013025601.tif 000004
【図３】
2013025601.tif 000005
【図４】
2013025601.tif 000006
【図５】
2013025601.tif 000007
【図６】
2013025601.tif 000008
【図７】
2013025601.tif 000009
【図８】
2013025601.tif 000010
【図９】
2013025601.tif 000011
【図１０】
2013025601.tif 000012
【図１１】
2013025601.tif 000013
【図１２】
2013025601.tif 000014
【図１３】
2013025601.tif 000015
【図１４】
2013025601.tif 000016
【図１５】
2013025601.tif 000017
【図１６】
2013025601.tif 000018